(57)【要約】【課題】表示記録媒体の向きの判定用に着色や切欠き等を表示記録媒体に施さなくても、表示記録媒体の向きを判定することが可能な書込み装置及び書込み法提供する。【解決手段】この書込み装置１００Ａは、表示記録媒体２を書込み位置に搬送する搬送部と、表示記録媒体２に設けられた一対の受電端子２０６Ａ，２０６Ｂのうち一方の受電端子２０６Ａに接触する給電端子９Ａと、他方の受電端子２０６Ｂに接触する一対の導通端子３０Ａと、一対の導通端子３０Ａの導通状態を検出する導通検出部と、導通検出部の検出結果に基づいて表示記録媒体２の挿入方向の正誤判定を行う制御部とを備える。【選択図】図２
2007331341.tif 000002
【特許請求の範囲】
【請求項１】
表示記録媒体の所定の位置に設けれた一対の受電端子のうち、少なくとも一方の受電端子に接離可能に接触する一対の導通端子と、
前記一対の導通端子間の導通状態を検出する導通検出部とを備えたことを特徴とする書込み装置。
【請求項２】
前記一対の導電端子は、前記一対の給電端子に電圧を印加する給電端子と共用することを特徴とする請求項１に記載の書込み装置。
【請求項３】
表示記録媒体の所定の位置に設けれた一対の受電端子のうち、少なくとも一方の受電端子に接離可能に接触する一対の導通端子と、
前記一対の導通端子間の導通状態を検出する導通検出部と、
前記導通検出部による検出結果に基づいて前記表示記録媒体の向きの正誤判定を行う判定部とを備えたことを特徴とする書込み装置。
【請求項４】
前記一対の導通端子は、金属または導電性ゴムからなる一対のローラであることを特徴とする請求項１乃至３のいずれか１項に記載の書込み装置。
【請求項５】
前記一対の導通端子は、絶縁部材を介在させてなることを特徴とする請求項１乃至４のいずれか１項に記載の書込み装置。
【請求項６】
所定の位置に一対の受電端子を有する表示記録媒体を書込み位置に搬送する搬送部と、
前記搬送部によって前記書込み位置に搬送された前記表示記録媒体の前記一対の受電端子のうち、少なくとも一方の受電端子に接触する一対の導電端子と、
前記一対の導通端子間の導通状態を検出する導通検出部と、
前記導通検出部による検出結果に基づいて前記表示記録媒体の向きの正誤判定を行う判定部とを備えたことを特徴とする書込み装置。
【請求項７】
前記一対の導通端子は、前記搬送部により前記表示記録媒体が正しい向きで搬送されたとき、前記他方の受電端子に接触する一対の第１の導通端子と、前記搬送部により前記表示記録媒体が誤った向きで搬送されたとき、前記他方の受電端子に接触する一対の第２の導通端子とからなり、
前記導通検出部は、前記一対の第１の導通端子間、及び前記一対の第２の導通端子間の導通状態を検出することを特徴とする請求項６に記載の書込み装置。
【請求項８】
所定の位置に一対の受電端子を有する表示記録媒体を書込み位置に搬送する搬送部と、
前記搬送部による前記表示記録媒体の搬送途中で前記一対の受電端子のうち、少なくとも一方の受電端子に接触する一対の導通端子と、
前記一対の導通端子間の導通状態を検出する導通検出部と、
前記導通検出部による検出結果に基づいて前記表示記録媒体の向きの正誤判定を行う判定部とを備えたことを特徴とする書込み装置。
【請求項９】
所定の位置に一対の受電端子を有する表示記録媒体に着脱可能に装着されて前記一対受電端子のうち、少なくとも一方の受電端子に接触する一対の導通端子を有するコネクタと、
前記一対の導通端子間の導通状態を検出する導通検出部と、
前記導通検出部による検出結果に基づいて前記表示記録媒体の向きの正誤判定を行う判定部とを備えたことを特徴とする書込み装置。
【請求項１０】
所定の位置に一対の受電端子を有する表示記録媒体の挿入操作により、前記一対受電端子のうち、少なくとも一方の受電端子に接触する一対の導通端子と、
前記一対の導通端子間の導通状態を検出する導通検出部と、
前記導通検出部による検出結果に基づいて前記表示記録媒体の向きの正誤判定を行う判定部とを備えたことを特徴とする書込み装置。
【請求項１１】
表示記録媒体の所定の位置に設けられた一対の受電端子のうち、少なくとも一方の受電端子に一対の導通端子を接触させて前記一対の導通端子間の導通状態を検出する検出ステップと、
前記検出ステップにおける検出結果に基づいて前記表示記録媒体の向きの正誤判定を行う判定ステップとを含むことを特徴とする書込み方法。
【発明の詳細な説明】
【技術分野】
【０００１】
本発明は、表示記録媒体に画像を書き込む書込み装置及び書込み方法に関する。
【背景技術】
【０００２】
表示記録媒体として、一対の透明電極間に、液晶からなる表示層と、光の照射によって抵抗値が変化する光導電層とを積層した光書込み型電子ペーパが知られている。
【０００３】
この光書き込み型電子ペーパは、一対の透明電極から導出された一対の受電端子間に電圧を印加するとともに、光導電層に画像信号に応じた画像光を照射することにより、表示層に画像が書き込まれる。従って、光書き込み型電子ペーパは、受電端子及び画像光を照射する書込み面を位置合せする必要がある。
【０００４】
受電端子及び書込み面の位置合せを容易にした従来の書込みシステムとして、例えば、特許文献１に記載されたものが知られている。
【０００５】
この書込みシステムの表示記録媒体は、その表面の一つの長辺近傍と裏面の一つの短辺近傍に光反射率の低い色（例えば黒色）からなる挿入方向識別帯を形成し、その他の領域を光反射率の高い色（例えば白色）で着色したものである。書込み装置に挿入された表示記録媒体の挿入方向識別帯を光センサで検出することにより、装置内に挿入された表示記録媒体の上下（表裏）、左右（前後）の挿入方向（向き）の正誤判定を行っている。
【特許文献１】特開２００５−２３１３４２号公報
【発明の開示】
【発明が解決しようとする課題】
【０００６】
本発明の目的は、表示記録媒体の向きの判定用に着色や切欠き等を表示記録媒体に施さなくても、表示記録媒体の向きを判定することが可能な書込み装置及び書込み方法を提供することにある。
【課題を解決するための手段】
【０００７】
本発明の一態様は、上記目的を達成するため、以下の書込み装置及び書込み方法を提供する。
【０００８】
［１］表示記録媒体の所定の位置に設けれた一対の受電端子のうち、少なくとも一方の受電端子に接離可能に接触する一対の導通端子と、前記一対の導通端子間の導通状態を検出する導通検出部とを備えたことを特徴とする書込み装置。
【０００９】
[２]前記一対の導電端子は、前記一対の給電端子に電圧を印加する給電端子と共用することを特徴とする前記［１］に記載の書込み装置。
【００１０】
[３]表示記録媒体の所定の位置に設けれた一対の受電端子のうち、少なくとも一方の受電端子に接離可能に接触する一対の導通端子と、前記一対の導通端子間の導通状態を検出する導通検出部と、前記導通検出部による検出結果に基づいて前記表示記録媒体の向きの正誤判定を行う判定部とを備えたことを特徴とする書込み装置。
【００１１】
[４]前記一対の導通端子は、金属または導電性ゴムからなる一対のローラであることを特徴とする前記［１］乃至[３]のいずれか１つに記載の書込み装置。
【００１２】
[５]前記一対の導通端子は、絶縁部材を介在させてなることを特徴とする前記［１］乃至[４]のいずれか１つに記載の書込み装置。
【００１３】
[６]所定の位置に一対の受電端子を有する表示記録媒体を書込み位置に搬送する搬送部と、前記搬送部によって前記書込み位置に搬送された前記表示記録媒体の前記一対の受電端子のうち、少なくとも一方の受電端子に接触する一対の導電端子と、前記一対の導通端子間の導通状態を検出する導通検出部と、前記導通検出部による検出結果に基づいて前記表示記録媒体の向きの正誤判定を行う判定部とを備えたことを特徴とする書込み装置。
【００１４】
[７]前記一対の導通端子は、前記搬送部により前記表示記録媒体が正しい向きで搬送されたとき、前記他方の受電端子に接触する一対の第１の導通端子と、前記搬送部により前記表示記録媒体が誤った向きで搬送されたとき、前記他方の受電端子に接触する一対の第２の導通端子とからなり、前記導通検出部は、前記一対の第１の導通端子間、及び前記一対の第２の導通端子間の導通状態を検出することを特徴とする前記［６］に記載の書込み装置。
【００１５】
[８]所定の位置に一対の受電端子を有する表示記録媒体を書込み位置に搬送する搬送部と、前記搬送部による前記表示記録媒体の搬送途中で前記一対の受電端子のうち、少なくとも一方の受電端子に接触する一対の導通端子と、前記一対の導通端子間の導通状態を検出する導通検出部と、前記導通検出部による検出結果に基づいて前記表示記録媒体の向きの正誤判定を行う判定部とを備えたことを特徴とする書込み装置。
【００１６】
[９]所定の位置に一対の受電端子を有する表示記録媒体に着脱可能に装着されて前記一対受電端子のうち、少なくとも一方の受電端子に接触する一対の導通端子を有するコネクタと、前記一対の導通端子間の導通状態を検出する導通検出部と、前記導通検出部による検出結果に基づいて前記表示記録媒体の向きの正誤判定を行う判定部とを備えたことを特徴とする書込み装置。
【００１７】
[１０]所定の位置に一対の受電端子を有する表示記録媒体の挿入操作により、前記一対受電端子のうち、少なくとも一方の受電端子に接触する一対の導通端子と、前記一対の導通端子間の導通状態を検出する導通検出部と、前記導通検出部による検出結果に基づいて前記表示記録媒体の向きの正誤判定を行う判定部とを備えたことを特徴とする書込み装置。
【００１８】
[１１]表示記録媒体の所定の位置に設けられた一対の受電端子のうち、少なくとも一方の受電端子に一対の導通端子を接触させて前記一対の導通端子間の導通状態を検出する検出ステップと、前記検出ステップにおける検出結果に基づいて前記表示記録媒体の向きの正誤判定を行う判定ステップとを含むことを特徴とする書込み方法。
【発明の効果】
【００１９】
請求項１の書込み装置によれば、表示記録媒体の向きの判定用に着色や切欠き等を表示記録媒体に施さなくても、表示記録媒体の向きを判定することが可能になる。また、表示記録媒体の向きの正誤判定を外部装置で行うことにより、書込み装置の構成を簡素化することができる。
請求項２の書込み装置によれば、請求項１の効果に加えて、部品点数を低減することができる。
請求項３の書込み装置によれば、表示記録媒体の向きの判定用に着色や切欠き等を表示記録媒体に施さなくても、表示記録媒体の向きを判定することが可能になる。
請求項４の書込み装置によれば、請求項１の効果に加えて、表示記録媒体への接触跡が付きにくくなる。
請求項５の書込み装置によれば、請求項１の効果に加えて、導通端子の変形等によるショートを防止することができる。
請求項６の書込み装置によれば、表示記録媒体を装置内に搬送する構成において、請求項２と同様の効果が得られる。
請求項７の書込み装置によれば、請求項１と比較して、表示記録媒体の向きを特定することができる。
請求項８の書込み装置によれば、表示記録媒体を装置内に搬送する構成において、書込み位置に表示記録媒体を搬送する前に表示記録媒体の向きを特定することができる。
請求項９の書込み装置によれば、表示記録媒体にコネクタを装着する構成において、請求項２と同様の効果が得られる。
請求項１０の書込み装置によれば、表示記録媒体を操作により書込み装置に挿する構成において、請求項２と同様の効果が得られる。
請求項１１の書込み方法によれば、表示記録媒体の向きの判定用に着色や切欠き等を表示記録媒体に施さなくても、表示記録媒体の向きを判定することが可能になる。
【発明を実施するための最良の形態】
【００２０】
本発明の実施の形態に係る書込み方法は、表示記録媒体の所定の位置に設けられた一対の受電端子のうち一方の受電端子に給電端子を接触させるとともに、前記一対の受電端子のうち他方の受電端子に一対の導通端子を接触させて前記一対の導通端子間の導通状態を検出する検出ステップと、前記検出ステップにおける検出結果に基づいて前記表示記録媒体の向きの正誤判定を行う判定ステップと、前記判定ステップにおいて前記表示記録媒体の向きが正しいと判定されたとき、前記給電端子及び前記導通端子を介して前記一対の受電端子間に電圧を印加するとともに、前記表示記録媒体に画像データに基づく画像光を照射する書込みステップとを含む。
【００２１】
一対の受電端子は、長方形を有する表示記録媒体の表面または裏面に設けられ、表示記録媒体の中心からずれた位置に配置されている。これにより、受電端子の位置から表示記録媒体の上下（表裏）、左右（前後）の向き（挿入方向、装着方向）を特定することが可能になる。なお、表示記録媒体は、正方形等の他の形状でもよい。
【００２２】
一対の導通端子のうち一方の導通端子を給電端子として用いることにより、書込み装置の構成を簡素化することができる。
【００２３】
［第１の実施の形態］
図１は、本発明の第１の実施の形態に係る書込みシステムを正面から見た断面図、図２は、平面図である。
【００２４】
（書込みシステム）
この書込みシステム１Ａは、画像の書換えが可能な表示記録媒体２と、表示記録媒体２に画像を書き込む書込み装置１００Ａとから構成されている。
【００２５】
（表示記録媒体）
表示記録媒体２は、薄型の略矩形状を有するフレキシブルな記録媒体であり、電圧の印加と画像光の照射によって画像が書き込まれる光書込み型電子ペーパである。表示記録媒体２は、所定の位置に電圧が印加される一対の受電端子２０６Ａ，２０６Ｂと、画像光が照射される書込み領域２ｃとを有する。
【００２６】
（書込み装置）
書込み装置１００Ａは、下部筐体３と上部筐体４との間に空間５を有し、その空間５の挿入口５ａに挿入された表示記録媒体２の挿入方向（向き）が正しいと判定された後、表示記録媒体２に画像を書き込むように構成されている。
【００２７】
下部筐体３は、表示記録媒体２の先端を検出する先端検出部６と、挿入口５ａに挿入された表示記録媒体２を空間５内の書込み位置まで搬送する複数の搬送ローラ７Ａ、７Ｂと、書込み位置で表示記録媒体２の先端が当接するストッパ８と、書込み位置で表示記録媒体２の一対の受電端子２０６Ａ，２０６Ｂのうち一方の受電端子２０６Ａに接触する給電端子９Ａと、一対の受電端子２０６Ａ，２０６Ｂのうち他方の受電端子２０６Ｂに接触する一対の導通電端子３０Ａと、表示記録媒体２の書込み領域２ｃに画像光を照射して画像を書き込む光照射部１０と、表示記録媒体２が誤って挿入されたときに受電端子２０６Ｂに接触する複数の導通端子３０Ｂ、３０Ｃと、図２に示すように、表示記録媒体２の挿入方向エラー等のメッセージをＬＣＤ(Liquid Crystal Display)により表示する報知手段としてのメッセージ表示部１１とを備える。
【００２８】
報知手段としては、上記ＬＣＤの他に、ＬＥＤ等を用いて可視的に報知を行ってもよく、ブザーやスピーカを用いて可聴的に報知を行ってもよい。また、メッセージ（報知）を通信Ｉ／Ｆ２８によりネットワークを介して管理サーバ等に通知してもよい。
【００２９】
上部筐体４は、下部筐体３に設けられた複数の搬送ローラ７Ａ、７Ｂに対向して配置された複数の搬送ローラ７Ｃ、７Ｄが配設されている。搬送ローラ７Ａ〜７Ｄは、筐体３、４から空間５に僅かに突出するように配置され、表示記録媒体２を挟持して搬送するように構成されている。
【００３０】
また、上部筐体４は、表示記録媒体２のジャム等の異常時あるいはメンテナンス時のために、図示しないヒンジにより下部筐体３に対して開閉可能に構成されている。
【００３１】
先端検出部６は、表示記録媒体２に光を照射する発光素子、及び表示記録媒体２で反射した光を受光する受光素子から構成されている。なお、先端検出部６は、発光素子と受光素子を表示記録媒体２の搬送路を介して対向して配置した構成としてもよく、マイクロスイッチや磁気センサ等の他のセンサを用いてもよい。
【００３２】
導通端子３０Ａ、３０Ｂ、３０Ｃは、それぞれ一対を有する。給電端子９Ａに隣接して配設された導通端子３０Ａは、給電端子を兼ねる。また、一対の導通端子３０Ａは、表示記録媒体２の挿入方向が正しいとき、受電端子２０６Ｂを介して短絡するように構成されている。他の導通端子３０Ｂ，３０Ｃは、表示記録媒体２の挿入方向が誤っている場合に、受電端子２０６Ｂによって短絡する位置に配設されている。
【００３３】
給電端子９Ａ、及び導通端子３０Ａ〜３０Ｃは、リン青銅、ベリリウム銅等の銅合金やステンレス鋼等の導電性を有するばね材料を用いて形成され、「ヘ」の字形に曲げ加工が施され、膨出点が表示記録媒体２の受電端子２０６Ａ，２０６Ｂに弾性的に接触するように構成されている。
【００３４】
光照射部１０は、表示記録媒体２の書込み領域２ｃと同等の大きさを有し、画像光を書込み領域２ｃに照射するＬＣＤ(Liquid Crystal Display)パネル１１０と、ＬＣＤパネル１１０の背面からバックライト光を照射するバックライト１１１とを備える。
【００３５】
（表示記録媒体）
図３（ａ），（ｂ）は、それぞれタイプの異なる表示記録媒体の層構成を模式的に表わした図１のＡ−Ａ線断面図である。
【００３６】
図３（ａ）に示す表示記録媒体２は、対向配置されたＰＥＴ（ポリエチレンテレフタレート）フィルムからなる透明の第１および第２の基板２００Ａ，２００Ｂと、第１および第２の基板２００Ａ，２００Ｂの内側に形成されたＩＴＯ（インジウム錫酸化物）からなる透明の第１および第２の電極２０１Ａ，２０１Ｂと、コレステリック液晶が封入されたマイクロカプセル２０２ａを有して構成され、第２の電極２０１Ｂの内側に設けられるとともに、印加される電圧に応じて反射率（透過率）が変化する液晶層２０２と、第１の電極２０１Ａの内側に配置され、光の照射によって抵抗値が小さくなる光導電層２０３と、液晶層２０２と光導電層２０３との間に配置された光吸収層２０４と、第１の電極２０１Ａに接続された受電端子２０６Ａと、第２の電極２０１Ｂに延在部２０７を介して接続された受電端子２０６Ｂとを備える。
【００３７】
光導電層２０３は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、表示記録媒体２の高寿命化を実現することができる。
【００３８】
図３（ｂ）に示す表示記録媒体２は、図３（ａ）に示した表示記録媒体２において、光吸収層２０４を第２の電極２０１Ｂの内側に配設し、液晶層２０２と光導電層２０３の間に隔離層２０５を追加したものであり、その他の構成は図３（ａ）と同様である。
【００３９】
図４は、書込み装置１００Ａの制御系を示す。書込み装置１００Ａは、装置１００Ａ全体を制御する制御部２０を有し、この制御部２０に、書込み位置に位置する表示記録媒体２の受電端子２０６Ａ，２０６Ｂに給電端子９Ａ及び導通端子３０Ａを介して交流のパルス電圧を印加する電圧印加部２１と、一対の導通端子３０Ａ，３０Ｂ，３０Ｃ間の導通状態をそれぞれ検出する導通検出部３１Ａ，３１Ｂ，３１Ｃと、搬送ローラ７Ａ〜７Ｄを回転駆動して表示記録媒体２を搬送する搬送駆動部２４と、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ(Local Area Network)等のネットワークに接続された通信インタフェース（Ｉ／Ｆ）２８とを各々接続している。また、制御部２０に前述した先端検出部６及びメッセージ表示部１１を接続している。
【００４０】
搬送駆動部２４は、搬送ローラ７Ａ，７Ｂを回転駆動する図示しないモータを備える。搬送ローラ７Ａ〜７Ｄは、モータからの駆動力を搬送ベルト等を介して伝達されるようにしてもよい。なお、搬送駆動部２４、搬送ローラ７Ａ〜７Ｄ及びモータは、搬送部を構成する。
【００４１】
制御部２０は、ＣＰＵ、ＲＡＭ、ＲＯＭ、ＨＤＤ等を用いて構成されており、ＨＤＤ、ＲＯＭ等には、書込み方法を実行するためのプログラムを含むＣＰＵの各種のプログラムが格納されている。プログラムは、ＣＤ−ＲＯＭ等の記録メディアから書込み装置１００内に取り込んでもよく、ネットワークを介して書込み装置１００内に取り込んでもよい。
【００４２】
（第１の実施の形態の動作）
次に、本実施の形態の書込みシステム１の動作を図５を参照して説明する。
【００４３】
図５（ａ）〜（ｄ）は、表示記録媒体の挿入方向の種類を示し、（ａ）は、表示記録媒体が正常に挿入された場合、（ｂ）〜（ｄ）は、挿入方向が誤っている場合であり、（ｂ）は、裏面２ｂを上側にして挿入した場合、（ｃ）は、後部を先頭にして挿入した場合、（ｄ）は、裏面２ｂを上側にし、後部を先頭にして挿入した場合を示す。
【００４４】
ユーザが、表示記録媒体２を挿入口５ａに挿入する。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。
【００４５】
先端検出部６が表示記録媒体２の先端を検出すると、先端検出信号を制御部２０に送る。制御部２０は、先端検出信号を受信すると、搬送駆動部２４を制御して搬送ローラ７Ａ〜７Ｄを回転させて表示記録媒体２を搬送させる。搬送駆動部２４は、一定時間搬送ローラ７Ａ〜７Ｄを回転させる。表示記録媒体２は、その先端がストッパ８に当接して書込み位置に停止する。表示記録媒体２が書込み位置に停止すると、表示記録媒体２の受電端子２０６Ａは、給電端子９Ａに接触し、受電端子２０６Ｂは、一対の導通端子３０Ａに接触する。
【００４６】
一対の導通端子３０Ａは、受電端子２０６Ｂを介して導通状態となるので、導通検出部３１Ａは、導通状態を検出し、その検出信号を制御部２０に送信する。
【００４７】
制御部２０は、導通検出部３１Ａから検出信号を受信したとき、表示記録媒体２の挿入方向（向き）は正しいと判断し、後述するように画像書込み動作を行う。
【００４８】
例えば、図５（ａ）に示すように、表示記録媒体２を正しい挿入方向で挿入した場合は、表示記録媒体２の受電端子２０６Ａは、給電端子９Ａに接触し、受電端子２０６Ｂは、一対の導通端子３０Ａに接触する。
【００４９】
これに対し、表示記録媒体２の挿入方向が誤っている場合、すなわち、図５（ｂ）に示すように、表示記録媒体２を表裏を逆にして挿入した場合は、導通検出部３１Ｂが一対の導通端子３０Ｂ間の導通状態を検出する。図５（ｃ）に示すように、表示記録媒体２を後部を先頭にして挿入した場合は、導通検出部３１Ｃが一対の導通端子３０Ｃ間の導通状態を検出する。図５（ｄ）に示すように、表示記録媒体２を表裏を逆にし、後部を先頭にして挿入した場合は、導通検出部３１Ａ〜３１Ｃのいずれも導通状態を検出しない。
【００５０】
表１は、各導通端子３０Ａ〜３０Ｃの導通状態に基づく正誤判定を示す。
【表１】
2007331341.tif 000003
【００５１】
従って、表１に示すように、導通検出部３１Ａ〜３１Ｃによる導通状態を示す検出信号の有無により、表示記録媒体２がどのような向きで挿入されたかを知ることができる。表示記録媒体２の挿入方向が誤っていた場合、制御部２０は、例えば、メッセージ表示部１１に表示記録媒体２の挿入方向の確認を促すメッセイージを表示し、搬送駆動部２４を制御して搬送ローラ７Ａ〜７Ｄを逆転させ、表示記録媒体２を挿入口５ａ側に排出する。
【００５２】
（画像書込み動作）
ここで、画像書込み動作について説明する。制御部２０は、画像データを画像データ記憶部２７から読み出し、書込み制御を行う。すなわち、電圧印加部２１は、制御部２０の制御により、給電端子９Ａ及び導通端子３０Ａを介して受電端子２０６Ａ，２０６Ｂ間に電圧を印加する。また、ＬＣＤパネル駆動部２５は、制御部２０の制御により、画像データに応じた駆動信号をＬＣＤパネル１１０に供給する。ＬＣＤパネル１１０は、ＬＣＤパネル駆動部２５からの駆動信号に基づいて画像光１１２を表示記録媒体２に照射する。
【００５３】
画像光１１２が表示記録媒体２に照射すると、図３（ａ）に示す表示記録媒体２では、画像光１１２が、第１の基板２００Ａおよび第１の電極２０１Ａを透過し、光導電層２０３に到達する。
【００５４】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、画像の書込みが終了した後、表示記録媒体２の表面２ａに照明光が照射された場合に、液晶層２０２の光が照射された領域は、反射率が大きくなるために照明光が反射して白く見え、光が照射されなかった領域は、照明光が液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００５５】
図３（ｂ）に示す表示記録媒体２の場合は、画像光１１２は、第１の基板２００Ａ、第１の電極２０１Ａ、液晶層２０２および隔離層２０５を順次透過し、光導電層２０３に到達する。
【００５６】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、表示記録媒体２の裏面２ｂに照明光が照射された場合、光が照射された領域は液晶層２０２で反射して白く見え、光が照射されていない領域は液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００５７】
制御部２０は、表示記録媒体２への画像の書込みが終了すると、搬送駆動部２４を制御して搬送ローラ７Ａ〜７Ｄを逆転させ、表示記録媒体２を挿入口５ａ側に排出する。
【００５８】
［第２の実施の形態］
図６は、本発明の第２の実施の形態の書込みシステムの平面図である。本実施の形態の書込み装置１００Ｂは、第１の実施の形態に対し、表示記録媒体２を書込み位置に搬送する前に、導通検出部３１Ａが導通状態を検出できるようにしたものである。すなわち、この書込み装置１００Ｂは、書込み位置に搬送された表示記録媒体２の一対の受電端子２０６Ａ，２０６Ｂに接触する一対の給電端子９Ａ，９Ｂと、書込み位置の前段で受電端子２０６Ｂに接触する一対の導通端子３０Ａとを備え、他は第１の実施の形態と同様に構成されている。なお、表示記録媒体２の挿入方向が誤っている場合に導通状態となる導通端子３０Ｂ、３０Ｃを省略しているが、書込み位置の前段に導通端子３０Ｂ、３０Ｃを設けてもよい。
【００５９】
図７は、書込み装置１００Ｂの制御系を示す。書込み装置１００Ｂは、第１の実施の形態と同様に、制御部２０、電圧印加部２１、搬送駆動部２４、ＬＣＤパネル駆動部２５、バックライト点灯部２６、画像データ記憶部２７、通信インタフェース（Ｉ／Ｆ）２８、先端検出部６及びメッセージ表示部１１を有し、さらに、一対の導通端子３０Ａ間の導通状態を検出する導通検出部３１Ａを有する。なお、導通検出部３１Ｂ、３１Ｃを諸略しているが、導通端子３０Ｂ、３０Ｃに対応して設けてもよい。
【００６０】
第２の実施の形態において、ユーザが、表示記録媒体２を挿入口５ａに挿入し、先端検出部６が表示記録媒体２の先端を検出すると、先端検出信号を制御部２０に送る。制御部２０は、先端検出信号を受信すると、搬送駆動部２４を制御して搬送ローラ７Ａ〜７Ｄを回転させて表示記録媒体２を搬送させる。搬送駆動部２４は、一定時間搬送ローラ７Ａ〜７Ｄを回転させる。表示記録媒体２は、その先端がストッパ８に当接して書込み位置に停止する。表示記録媒体２が書込み位置に停止すると、表示記録媒体２の一対の受電端子２０６Ａ，２０６Ｂは、一対の給電端子９Ａ，９Ｂが接触する。
【００６１】
表示記録媒体２が書込み位置に搬送される途中で、表示記録媒体２の受電端子２０６Ｂは、一対の導通端子３０Ａに一旦接触して離れる。受電端子２０６Ｂは、一対の導通端子３０Ａに接触したとき、導通検出部３１Ａは、導通状態を検出し、その検出信号を制御部２０に送る。
【００６２】
制御部２０は、導通検出部３１Ａから検出信号が送られたとき、表示記録媒体２に対して第１の実施の形態と同様に画像書込み動作を行う。導通検出部３１Ａから検出信号が送られないとき、制御部２０は、画像書込み動作を行わずに、例えば、メッセージ表示部１１に表示記録媒体２の挿入方向の確認を促すメッセージを表示し、搬送駆動部２４を制御して搬送ローラ７Ａ〜７Ｄを逆転させ、表示記録媒体２を挿入口５ａ側に排出する。
【００６３】
［第３の実施の形態］
図８は、本発明の第３実施の形態に係る書込みシステムを示し、（ａ）は斜視図、（ｂ）は、（ａ）のＢ−Ｂ線断面図である。
【００６４】
この書込みシステム１Ｃは、第１の実施の形態の表示記録媒体２に対して受電端子２０６Ａ，２０６Ｂを表面２ａに配置した表示記録媒体２と、表示記録媒体２に画像を書き込むスタンド型の書込み装置１００Ｃとから構成されている。
【００６５】
書込み装置１００Ｃは、ベース部１２１、スタンド部１２２及び表示部１２３からなる装置本体１２０と、装置本体１２０にケーブル１２４を介して接続されたコネクタ１３０とを有する。
【００６６】
装置本体１２０の表示部１２３には、第１の実施の形態と同様のＬＣＤパネル１１０及びメッセージ表示部１１が設けられている。
【００６７】
コネクタ１３０は、矩形状のコネクタケース１３１と、コネクタケース１３１に設けられ、表示記録媒体２が挿入される溝１３２と、コネクタケース１３１の上面に設けられた操作ボタン１３３と、表示記録媒体２の受電端子２０６Ａに弾性的に接触する給電端子９Ａと、受電端子２０６Ｂに弾性的に接触する第１の実施の形態と同様の一対の導通端子３０Ａとを備える。コネクタケース１３１は、表示記録媒体２の長辺と短辺がそれぞれ当接する当接面１３２ａ，１３２ｂを有する。
【００６８】
図９は、書込み装置１００Ｃの制御系を示す。この書込み装置１００Ｃは、装置１００CＣ全体を制御する制御部２０を有し、この制御部２０に、表示記録媒体２の受電端子２０６Ａ，２０６Ｂにケーブル１２４及び給電端子９Ａ、導通端子３０Ａを介してパルス電圧を印加する電圧印加部２１と、一対の導通端子３０Ａ間の導通状態を検出する導通検出部３１Ａと、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ等のネットワークに接続された通信インタフェース（Ｉ／Ｆ）２８と、メッセージ表示部１１とを各々接続している。
【００６９】
制御部２０は、ＣＰＵ、ＲＡＭ、ＲＯＭ、ＨＤＤ等を用いて構成されており、ＨＤＤ、ＲＯＭ等には、書込み方法を実行するためのプログラムを含むＣＰＵの各種のプログラムが格納されている。プログラムは、ＣＤ−ＲＯＭ等の記録メディアから書込み装置１００Ｂ内に取り込んでもよく、ネットワークを介して書込み装置１００Ｂ内に取り込んでもよい。また、制御部２０は、導通検出部３１Ａによって検出された導通状態に基づいてコネクタ１３０との装着方向（向き）を判定する。
【００７０】
（第３の実施の形態の動作）
次に、本実施の形態の書込みシステム１Ｃの動作を説明する。
【００７１】
ユーザが、表示記録媒体２にコネクタ１３０を正しく装着すると、表示記録媒体２の受電端子２０６Ａと給電端子９Ａとが接触し、受電端子２０６Ｂと一対の導通端子３０Ａとが接触する。表示記録媒体２にコネクタ１３０を正しく装着するためには、表示記録媒体２の表面２ａを上にし、表示記録媒体２の長辺と短辺がそれぞれコネクタケース１３１の当接面１３２ａ，１３２ｂに当接するようにコネクタ１３０にセットする。
【００７２】
一対の導通端子３０Ａは、受電端子２０６Ｂを介して導通状態となり、導通検出部３１Ａは、一対の導通端子３０Ａ間の導通状態を検出し、その検出信号を制御部２０に送信する。
【００７３】
次に、ユーザは、コネクタ１３０が装着された表示記録媒体２を裏面２ｂが下になるようにしてＬＥＤパネル１１０上に近接して配置し、コネクタ１３０の操作ボタン１３３を押下すると、操作ボタン１３３は、押下信号をケーブル１２４を介して制御部２０に送る。制御部２０は、押下信号に基づいて第１の実施の形態と同様に画像書込み動作を行う。
【００７４】
導通検出部３１から検出信号が送信されないとき、制御部２０は、メッセージ表示部１１にコネクタ１３０を表示記録媒体２に正しく装着することを促すメッセージを表示する
【００７５】
［第４の実施の形態］
図１０は、本発明の第４の実施の形態に係る書込みシステムの斜視図である。
【００７６】
この書込みシステム１Ｄは、第１の実施の形態と同様の表示記録媒体２と、表示記録媒体２に画像を書き込む書込み装置１００Ｄとから構成されている。
【００７７】
書込み装置１００Ｄは、表示記録媒体２に画像を書き込む装置本体１４０と、装置本体１４０に対してヒンジ１４１によって開閉可能に取り付けられたタブレットＰＣ部１５０とから構成されている。
【００７８】
装置本体１４０は、書込み位置で表示記録媒体２の先端が当接するＬ字状のストッパ１４２と、表示記録媒体２の先端をストッパ１４２に当接したとき、表示記録媒体２の給電端子２０６Ａに弾性的に接触する給電端子９Ａと、給電端子２０６Ｂに弾性的に接触する一対の導通端子３０Ａと、表示記録媒体２の書込み領域２ｃに画像光を照射するＬＣＤパネル１１０とを備える。また、装置本体１４０は、第１の実施の形態と同様に、ＬＣＤパネル１１０及びバックライト１１１からなる光照射部１０と、制御部２０と、電圧印加部２１と、ＬＣＤパネル駆動部２５と、バックライト点灯部２６と、画像データ記憶部２７と、通信Ｉ／Ｆ２８とを備える。
【００７９】
タブレットＰＣ部１５０は、タブレット方式の入力表示部１５１を有する。入力表示部１５１は、画像を表示するＬＣＤ(Liquid Crystal Display)と、ＬＣＤと同一のサイズを有してＬＣＤの下面側に重合配置されたタブレットとからなる。タブレットは、電子ペン１５２を用いて電磁誘導方式により入力が可能となっている。なお、タブレットは、タッチパネル方式を用いてもよい。これにより、手指によっても入力が可能になる。
【００８０】
（第４の実施の形態の動作）
次に、本実施の形態の書込みシステム１Ｄの動作を説明する。ユーザは、表示記録媒体２の挿入操作により、給電端子９Ａ及び導通端子３０Ａに表示記録媒体２の受電端子２０６Ａ，２０６Ｂを接触させる。すなわち、表示記録媒体２の先端をストッパ１４２の内側に挿入する。本実施の形態では、表示記録媒体２の受電端子２０６Ａ，２０６Ｂが露出している面（裏面２ｂ）が下側となり、受電端子２０６Ａ，２０６Ｂが先頭側（前）となる方向が正しい挿入方向となる。このとき、表示記録媒体２の長辺と短辺がストッパ１４２に設けた当接面１４３ａ，１４３ｂに当接するようにする。
【００８１】
表示記録媒体２を正しい方向に挿入すると、一対の導通端子３０Ａが受電端子２０６Ｂを介して導通状態となり、導通検出部３１は、一対の導通端子３０Ａの導通状態を検出し、検出信号を制御部２０に送信する。
【００８２】
ユーザがタブレットＰＣ部１５０の入力表示部１５１のメニュー画面上で電子ペン１５２を用いてスタートボタンを選択すると、制御部２０は、導通検出部３１からの検出信号に基づいて前述したように画像書込み動作を行う。
【００８３】
一方、制御部２０は、導通検出部３１から検出信号が送信されないとき、入力表示部１５１に表示記録媒体２を正しい方向に挿入することを促すメッセージを表示する。
【００８４】
（導通端子の変形例）
図１１は、導通端子の変形例を示し、（ａ１）、（ａ２）は、それぞれ第１の変形例の平面図、正面図であり、（ｂ１）、（ｂ２）は、それぞれ第２の変形例の平面図、側面図であり、（ｃ）は、第３の変形例の側面図、（ｄ）は、第４の変形例の側面図である。
【００８５】
上記各実施の形態では、導通端子は、「へ」の字型を有する一対の導通端子を並列に配置したが、図１１（ａ１）、（ａ２）の第１の変形例に示すように、一対の導通端子３０Ａを直線的に配置してもよい。また、図１１（ｂ１）、（ｂ２）の第２の変形例に示すように、
一対の導通端子３０Ａ間に絶縁物３２を配置してもよい。これにより、導通端子３０Ａの変形等によって一対の導通端子３０Ａ間がショートするのを防止することができる。また、図１１（ｃ）に示すように、表示記録媒体２の移動によって回転する一対の金属ローラ３３間を絶縁軸３４で連結したものでもよい。これにより、表示記録媒体２への接触跡が付きにくくなる。さらに、図１１（ｄ）に示すように、（ｃ）の金属ローラ３３を導電性ゴムローラ３５に代えてもよい。これにより、金属ローラ３３よりも接触跡が付きにくくなる。
【００８６】
［他の実施の形態］
なお、本発明は、上記各実施の形態に限定されず、その要旨を変更しない範囲内で種々な変形が可能である。また、本発明の要旨を変更しない範囲内で各実施の形態の構成要素を任意に組み合わせることができる。
【００８７】
表示記録媒体２は、サイズはＡ４、Ａ５等のノートサイズでもよく、名刺等のカードサイズでもよい。また、ＲＦＩＤタグ、接触式ＩＣタグ等を備えたものでもよい。この場合は、書込み装置側にタグのリーダライタを有する。
【図面の簡単な説明】
【００８８】
【図１】本発明の第１の実施の形態に係る書込みシステムを正面から見た断面図である。
【図２】本発明の第１の実施の形態に係る書込みシステムの平面図である。
【図３】（ａ），（ｂ）は、それぞれタイプの異なる表示記録媒体の層構成を模式的に表わした図２のＡ−Ａ線断面図である。
【図４】本発明の第１の実施の形態に係る書込み装置の制御系を示すブロック図である。
【図５】表示記録媒体の挿入方向の種類を示し、（ａ）は、表示記録媒体が正常に挿入された場合、（ｂ）〜（ｄ）は、挿入方向が誤っている場合であり、（ｂ）は、裏面を上側にして挿入した場合、（ｃ）は、後部を先頭にして挿入した場合、（ｄ）は、裏面を上側にし、後部を先頭にして挿入した場合を示す図である。
【図６】本発明の第２実施の形態に係る書込みシステムの平面図である。
【図７】本発明の第２の実施の形態に係る書込み装置の制御系を示すブロック図である。
【図８】本発明の第３実施の形態に係る書込みシステムを示し、（ａ）は斜視図、（ｂ）は（ａ）のＢ−Ｂ線断面図である。
【図９】本発明の第３の実施の形態に係る書込み装置の制御系を示すブロック図である。
【図１０】本発明の第４の実施の形態に係る書込みシステムの斜視図である。
【図１１】導通端子の変形例を示し、（ａ１）、（ａ２）は、それぞれ第１の変形例の平面図、正面図であり、（ｂ１）、（ｂ２）は、それぞれ第２の変形例の平面図、側面図であり、（ｃ）は、第３の変形例の側面図、（ｄ）は、第４の変形例の側面図である。
【符号の説明】
【００８９】
１  書込みシステム
２  表示記録媒体
２ａ  表面
２ｂ  裏面
２ｃ  書込み領域
３  下部筐体
３ａ  挿入口
４  上部筐体
５  空間
５ａ  挿入口
６  先端検出部
７Ａ〜７Ｆ  搬送ローラ
８，１８  ストッパ
９Ａ，９Ｂ  給電端子
１０  光照射部
１１  メッセージ表示部
２０  制御部
２１  電圧印加部
２４  搬送駆動部
２５  ＬＣＤパネル駆動部
２６  バックライト点灯部
２７  画像データ記憶部
２８  通信Ｉ／Ｆ
３０，３０Ａ〜３０Ｃ  導通端子
３１Ａ〜３１Ｃ  導通検出回路
３２  絶縁物
３３  金属ローラ
３４  絶縁軸
３５  導電性ゴムローラ
１００  書込み装置
１１０  ＬＣＤパネル
１１１  バックライト
１１２  画像光
１２０  装置本体
１２１  ベース部
１２２  スタンド部
１２３  表示部
１２４  ケーブル
１３０  コネクタ
１３１  コネクタケース
１３２  溝
１３２ａ，１３２ｂ  当接面
１３３  操作ボタン
１４０  装置本体
１４１  ヒンジ
１４２  ストッパ
１４３ａ，１４３ｂ  当接面
１５０  タブレットＰＣ部
１５１  入力表示部
１５２  電子ペン
２００Ａ，２００Ｂ  基板
２０１Ａ，２０１Ｂ  電極
２０２  液晶層
２０２ａ  マイクロカプセル
２０３  光導電層
２０４  光吸収層
２０５  隔離層
２０６Ａ，２０６Ｂ  受電端子
２０７  延在部
【図１】
2007331341.tif 000004
【図２】
2007331341.tif 000005
【図３】
2007331341.tif 000006
【図４】
2007331341.tif 000007
【図５】
2007331341.tif 000008
【図６】
2007331341.tif 000009
【図７】
2007331341.tif 000010
【図８】
2007331341.tif 000011
【図９】
2007331341.tif 000012
【図１０】
2007331341.tif 000013
【図１１】
2007331341.tif 000014